(57)【要約】【課題】配信元で指定した文書の画像形成の態様に基づき、配信先で文書の画像を形成させる文書処理システム、文書配信装置、文書処理装置、及びプログラムを提供すること。【解決手段】配信元装置は、配信先にて画像形成される文書を処理の対象として、当該処理の対象となった文書の画像形成の態様を指定する形成態様指定情報の入力を受け入れて、前記受け入れた形成態様指定情報と、前記処理の対象となった文書とを配信先へ送出し、前記配信先装置は、前記配信元装置から形成態様指定情報と処理の対象となった文書とを受信して、前記受信した形成態様指定情報によって指定された態様に基づいて形成態様を定め、当該定めた形成態様で、前記処理の対象となった文書の画像を形成させる指示を出力する、ことを特徴とする文書処理システムである。【選択図】図１
2008052617.tif 000002
【特許請求の範囲】
【請求項１】
配信元装置は、
配信先にて画像形成される文書を処理の対象として、当該処理の対象となった文書の画像形成の態様を指定する形成態様指定情報の入力を受け入れる手段と、
前記受け入れた形成態様指定情報と、前記処理の対象となった文書とを配信先へ送出する手段と、
を含み、
配信先装置は、
前記配信元装置から形成態様指定情報と処理の対象となった文書とを受信する手段と、
前記受信した形成態様指定情報によって指定された態様に基づいて形成態様を定め、当該定めた形成態様で、前記処理の対象となった文書の画像を形成させる指示を出力する手段と、
を含むことを特徴とする文書処理システム。
【請求項２】
配信先にて画像形成される文書を処理の対象として、当該処理の対象となった文書の、配信先での画像形成の態様を指定する形成態様指定情報の入力を受け入れる手段と、
前記受け入れた形成態様指定情報と、前記処理の対象となった文書とを配信先へ送出する手段と、
を含むことを特徴とする文書配信装置。
【請求項３】
前記形成態様指定情報によって指定される形成態様は、前記文書の画像形成結果の見え方の態様であることを特徴とする請求項２に記載の文書配信装置。
【請求項４】
処理の対象となった文書と、当該文書の画像形成の態様を指定する形成態様指定情報とを受信する手段と、
前記受信した形成態様指定情報に基づいて、前記文書の画像の形成態様を決定する形成態様決定手段と、
前記決定した形成態様にて、前記処理の対象となった文書の画像を形成させる指示を出力する手段と、
を含むことを特徴とする文書処理装置。
【請求項５】
前記形成態様決定手段は、文書の画像を形成させる画像形成装置の機能と、前記受信した形成態様指定情報とに基づいて、形成態様を決定することを特徴とする請求項４記載の文書処理装置。
【請求項６】
コンピュータに、
配信先にて画像形成される文書を処理の対象として、当該処理の対象となった文書の、配信先での画像形成の態様を指定する形成態様指定情報の入力を受け入れる手順と、
前記受け入れた形成態様指定情報と、前記処理の対象となった文書とを配信先へ送出する手順と、
を実行させることを特徴とするプログラム。
【請求項７】
コンピュータに、
処理の対象となった文書と、当該文書の画像形成の態様を指定する形成態様指定情報とを受信する手順と、
前記受信した形成態様指定情報に基づいて、前記文書の画像の形成態様を決定する手順と、
前記決定した形成態様にて、前記処理の対象となった文書の画像を形成させる指示を出力する手順と、
を実行させることを特徴とするプログラム。
【発明の詳細な説明】
【技術分野】
【０００１】
本発明は、文書処理システム、文書配信装置、文書処理装置、及びプログラムに関する。
【背景技術】
【０００２】
例えば製造業などの分野において、設計拠点から製造拠点へと図面を配送することはよく行われている。こうした図面などの配送においては、まず設計拠点にて図面を実際に印刷し、当該印刷した図面を、トラックなどの物流手段を用いて製造拠点へ配送することが行われている。
【０００３】
なお、印刷対象となった画像を、予め指定されたユーザのみが印刷できるようにした装置が、特許文献１に開示されている。
【特許文献１】特開２０００−１９４５２１号公報
【発明の開示】
【発明が解決しようとする課題】
【０００４】
図面、文字、その他様々なドキュメント（文書）の配信を電子的に行う場面を想定した場合、配信を受けた側において指定された印刷時のオプションにより、配信した側で想定した状態とは異なる印刷態様となってしまうことが想定される。
【０００５】
例えば設計拠点ではＡ列１番（Ａ１）のサイズで印刷するべきとした図面であっても、製造拠点側にてＡ列２番（Ａ２）のサイズで印刷が行われてしまうと、例えば図面に含まれる文字などの可読性が損なわれることがあり、電子的配信によって不具合が生じる場合がある。
【０００６】
本発明は上記実情に鑑みて為されたもので、配信元で指定した文書の画像形成の態様に基づき、配信先で文書の画像を形成させる文書処理システム、文書配信装置、文書処理装置、及びプログラムを提供することをその目的の一つとする。
【課題を解決するための手段】
【０００７】
本発明の一態様に係る文書処理システムは、配信元装置は、配信先にて画像形成される文書を処理の対象として、当該処理の対象となった文書の画像形成の態様を指定する形成態様指定情報の入力を受け入れる手段と、前記受け入れた形成態様指定情報と、前記処理の対象となった文書とを配信先へ送出する手段と、を含み、配信先装置は、前記配信元装置から形成態様指定情報と処理の対象となった文書とを受信する手段と、前記受信した形成態様指定情報によって指定された態様に基づいて形成態様を定め、当該定めた形成態様で、前記処理の対象となった文書の画像を形成させる指示を出力する手段と、を含むものである。
【０００８】
また本発明の別の態様は、文書配信装置であって、配信先にて画像形成される文書を処理の対象として、当該処理の対象となった文書の、配信先での画像形成の態様を指定する形成態様指定情報の入力を受け入れる手段と、前記受け入れた形成態様指定情報と、前記処理の対象となった文書とを配信先へ送出する手段と、を含む。
【０００９】
ここで前記形成態様指定情報によって指定される形成態様は、前記文書の画像形成結果の見え方の態様であってもよい。
【００１０】
さらに本発明の別の態様は、文書処理装置であって、処理の対象となった文書と、当該文書の画像形成の態様を指定する形成態様指定情報とを受信する手段と、前記受信した形成態様指定情報に基づいて、前記文書の画像の形成態様を決定する形成態様決定手段と、前記決定した形成態様にて、前記処理の対象となった文書の画像を形成させる指示を出力する手段と、を含むこととしたものである。
【００１１】
ここで前記形成態様決定手段は、文書の画像を形成させる画像形成装置の機能と、前記受信した形成態様指定情報とに基づいて、形成態様を決定することとしてもよい。
【００１２】
さらに本発明の別の態様は、プログラムであって、コンピュータに、配信先にて画像形成される文書を処理の対象として、当該処理の対象となった文書の、配信先での画像形成の態様を指定する形成態様指定情報の入力を受け入れる手順と、前記受け入れた形成態様指定情報と、前記処理の対象となった文書とを配信先へ送出する手順と、を実行させるものである。
【００１３】
さらに本発明の別の態様は、プログラムであって、コンピュータに、処理の対象となった文書と、当該文書の画像形成の態様を指定する形成態様指定情報とを受信する手順と、前記受信した形成態様指定情報に基づいて、前記文書の画像の形成態様を決定する手順と、前記決定した形成態様にて、前記処理の対象となった文書の画像を形成させる指示を出力する手順と、を実行させるものである。
【発明の効果】
【００１４】
請求項１の発明によれば、配信元で指定した文書の画像形成の態様に基づき、配信先で文書の画像を形成させることが可能になる。
【００１５】
また、請求項２の発明によれば、配信元で文書の画像形成の態様を指定して配信先へ送出することを確実に行うことが可能になる。
【００１６】
また、請求項３の発明によれば、配信元で配信先における文書の見え方の態様を指定することが可能になる。
【００１７】
また、請求項４の発明によれば、配信元で指定された文書の画像形成の態様に基づき、配信先で文書の画像を形成することが可能になる。
【００１８】
また、請求項５の発明によれば、画像形成装置の機能と配信元で指定された文書の画像形成の態様とに基づき、形成態様を決定することが可能になる。
【００１９】
また、請求項６の発明によれば、配信元で文書の画像形成の態様を指定して配信することを確実に行うことが可能になる。
【００２０】
また、請求項７の発明によれば、配信元で指定された文書の画像形成の態様に基づき、配信先で文書の画像を形成することが可能になる。
【発明を実施するための最良の形態】
【００２１】
本発明の実施の形態について図面を参照しながら説明する。本発明の実施の形態に係る文書処理システム１００は、図１に示すように、配信元装置としての文書配信装置１と、配信先装置としての文書処理装置２とを含む。これら文書配信装置１と文書処理装置２とは、ここでは通信手段としてのネットワークを介して接続されている。また、文書処理装置２は、プリンタなどの画像形成装置３に接続されている。
【００２２】
文書配信装置１は、図１に示すように、制御部１１と、記憶部１２と、ストレージ部１３と、操作部１４と、表示部１５と、通信部１６と、を含んで構成されている。また、文書処理装置２は、制御部２１と、記憶部２２と、操作部２４と、表示部２５と、通信部２６と、プリンタインターフェイス２７と、を含んで構成されている。
【００２３】
ここで、文書配信装置１の各部について具体的に説明する。制御部１１は、ＣＰＵなどで実現でき、記憶部１２に格納されているプログラムに従って動作している。本実施の形態における制御部１１の処理の具体的な内容については、後に述べる。
【００２４】
記憶部１２は、ＲＡＭ（Random Access Memory）や、ＲＯＭ（Read Only Memory）等のメモリ素子を含む。この記憶部１２には、制御部１１によって実行されるプログラムが保持される。また、記憶部１２は、制御部１１が行う処理に必要なデータを保持するワークメモリとしても動作する。
【００２５】
ストレージ部１３は、ハードディスク等の補助記憶装置を含む。このストレージ部１３には、文書処理装置２の側で印刷対象となる対象文書のデータ（対象文書データ）が記憶されている。本実施の形態では、この対象文書データは、いわゆるページ記述言語（例えばポストスクリプト（登録商標））で記述されたデータであるものとする。
【００２６】
操作部１４は、マウスやキーボード等であり、利用者による操作を受け入れて制御部１１に出力する。本実施の形態では、文書配信装置１の利用者（以下配信元利用者）は、表示部１５に表示される図示しないユーザインターフェイスにおいて、印刷態様に関わる設定項目（例えば、用紙サイズ、カラー印刷・モノクロ印刷の別、画像の解像度、画像の出力サイズ、両面印刷・片面印刷の別など）のうち配信元利用者が任意に選択した設定項目の設定値を入力する設定操作を行う（以下、ここで入力される設定値を「配信元設定値」と呼ぶ）。なお、上記設定項目は、対象文書の印刷結果の見え方の態様に関わるものを含む。かかる設定項目としては、例えば、対象文書の画像の大きさを指定する設定項目（すなわち、用紙サイズや画像の出力サイズ）や、対象文書の画像の形成に用いる色を指定する設定項目（すなわち、カラー印刷・モノクロ印刷の別）や、対象文書の画像の鮮明さを指定する設定項目（すなわち、画像の解像度）などが挙げられる。表示部１５は、ディスプレイ等であり、制御部１１から入力される指示に従って情報を表示する。通信部１６は、ネットワークインターフェイスであり、制御部１１から入力される指示に従って、各種のデータをネットワークを介して送信する。また、通信部１６は、ネットワークを介して到来するデータを受信して、制御部１１に出力する。
【００２７】
ここで、制御部１１が行う処理について具体的に説明する。制御部１１は、利用者による設定操作を受け入れて、対象文書の印刷態様を指定する印刷態様指定データを生成する。ここで、印刷態様指定データは、図２に示すように、配信元利用者により選択された各設定項目に関して入力された配信元設定値を含む。なお、利用者が上記設定項目のいずれも設定しなかった場合、制御部１１は、印刷態様指定データに、その旨を表すデータを含める。
【００２８】
制御部１１は、生成した印刷態様指定データと、ストレージ部１３に記憶されている対象文書データと、を関連付けて文書処理装置２へ送出する。例えば、これら２つのデータを電子メールに添付して、文書処理装置２の利用者（以下配信先利用者）のアドレスに送信する。なお、このアドレスは、予め登録されたものであってもよいし、利用者により入力されるものであってもよい。
【００２９】
次に、文書処理装置２の各部について説明する。
【００３０】
制御部２１は、ＣＰＵなどで実現でき、記憶部２２に格納されているプログラムに従って動作している。本実施の形態における制御部２１の処理の具体的な内容については、後に述べる。
【００３１】
記憶部２２は、ＲＡＭ（Random Access Memory）や、ＲＯＭ（Read Only Memory）等のメモリ素子を含む。この記憶部２２には、制御部２１によって実行されるプログラムが保持される。また、記憶部２２は、制御部２１が行う処理に必要なデータを保持するワークメモリとしても動作する。
【００３２】
ストレージ部２３は、ハードディスク等の補助記憶装置を含む。なお、本実施の形態では、配信元利用者による配信元設定値に画像形成装置３が対応できない場合があることに配慮し、このストレージ部２３に、図３に示すように、各設定項目について、画像形成装置３で利用可能な設定値のリストと、予め定められている設定値（デフォルト設定値）と、を表わすテーブル２００を格納しておく。
【００３３】
操作部２４は、マウスやキーボード等であり、配信先利用者による操作を受け入れて制御部２１に出力する。表示部２５は、ディスプレイ等であり、制御部２１から入力される指示に従って情報を表示する。
【００３４】
通信部２６は、ネットワークインターフェイスであり、制御部２１から入力される指示に従って、各種データをネットワークを介して送信する。また、通信部２６は、ネットワークを介して到来するデータを受信して、制御部１１に出力する。この通信部２６は、本実施の形態では、文書処理装置１から、相互に関連付けられた対象文書データと印刷態様指定データとを受信する。
【００３５】
プリンタインターフェイス２７は、例えば、ネットワークインターフェイスや、ＵＳＢ（Universal Serial Bus）インターフェイスなどであり、画像形成装置３とのデータの送受信を行うものである。
【００３６】
ここで、制御部２１が行う処理について具体的に説明する。制御部２１は、受信された対象文書データを対象とする配信先利用者の印刷操作を受け入れてプリンタドライバを起動し、例えば図４に示すような、印刷ダイアログ（Ｘ）を表示部２５に表示する。この印刷ダイアログ（Ｘ）には、テーブル２００の内容に基づいて、各設定項目ごとに画像形成装置３にて利用可能な設定値のリストが表示され、配信先利用者は、各設定項目についてリストのうちの１つの設定値を選択する（以下、ここで選択される設定値を「配信先設定値」と呼ぶ）。制御部２１は、配信先利用者による操作を受け入れて、配信先設定データを生成する。この配信先設定データは、図５に示すように、各設定項目に関して配信先利用者により選択された配信先設定値を含んで構成されるものである。
【００３７】
そして、制御部２１は、図６の概念図に示すように、対象文書データに関連付けられた印刷態様指定データ、配信先設定データ、及びテーブル２００の内容、のうちの少なくとも１つに基づいて、対象文書の画像形成装置３での実際の印刷態様を指示する印刷パラメータを生成する印刷パラメータ生成処理を実行する。
【００３８】
以下、制御部２１が実行する印刷パラメータ生成処理について図７のフローチャートを参照しながら説明する。
【００３９】
制御部２１は、画像形成装置３に送信すべき印刷パラメータの設定項目のうちの１つを注目項目として選択し、当該注目項目に関する配信元設定値が、印刷態様指定データに含まれているか否かを判断する（Ｓ１０１）。そして、当該注目項目に関する配信元設定値が、印刷態様指定データに含まれている場合（Ｓ１０１のＹ）、テーブル２００を参照して、印刷態様指定データに含まれる注目項目の配信元設定値が画像形成装置３で利用可能か否かを判断する（Ｓ１０２）。つまり、印刷態様指定データに含まれる当該注目項目の配信元設定値がテーブル２００に含まれる設定値のリストに含まれているか否かを判断する。そして、当該配信元設定値が画像形成装置３にて利用可能である場合（Ｓ１０２のＹ）、当該配信元設定値を画像形成装置３にて利用する注目項目の設定値として決定し、印刷パラメータのうち注目項目に対応する設定値を当該配信元設定値とする。（Ｓ１０３）。また、Ｓ１０２の処理において、当該配信元設定値が画像形成装置３にて利用不能である場合（Ｓ１０２のＮ）、配信先設定データに含まれている注目項目の配信先設定値を画像形成装置３にて利用する注目項目の設定値として決定し、印刷パラメータのうち注目項目に対応する設定値を当該配信先設定値とする（Ｓ１０４）。
【００４０】
また、Ｓ１０１の処理において、注目項目に関する配信元設定値が、印刷態様指定データに含まれていない場合（Ｓ１０１のＮ）、Ｓ１０４に移行して、その処理を実行する。このように、Ｓ１０３またはＳ１０４の処理により、注目項目の配信元設定値及び注目項目の配信先設定値のいずれかを、画像形成装置３にて利用する注目項目の設定値として決定する。
【００４１】
なお、配信元設定値が画像形成装置３にて利用不能である場合に（Ｓ１０２のＮ）、Ｓ１０４の処理の代わりに以下の処理を実行して、画像形成装置３にて利用する注目項目の設定値を決定するようにしてもよい。例えば、テーブル２００を参照して、注目項目のデフォルト設定値を画像形成装置３にて利用する注目項目の設定値として決定するようにしてもよい。或いは、注目項目の種類によっては、テーブル２００を参照して、画像形成装置３にて利用可能な注目項目の設定値のうち、配信元設定値に最も近い設定値を画像形成装置３にて利用する注目項目の設定値として決定するようにしてもよい。例えば、注目項目が「用紙サイズ」である場合、画像形成装置３にて利用可能な用紙サイズのうち配信元設定値が表わす用紙サイズに最も近い用紙サイズを、画像形成装置３にて利用する用紙サイズとして決定する。
【００４２】
Ｓ１０３またはＳ１０４の処理により画像形成装置３で利用する注目項目の設定値が決定されると、制御部２１は、画像形成装置３で利用するすべて設定項目の設定値が決定されているか否かを判断する（Ｓ１０５）。そして、画像形成装置３にて利用するすべての設定項目の設定値が決定されている場合（Ｓ１０５のＹ）、上記の印刷パラメータを生成する（Ｓ１０６）。そして、制御部２１は、生成された印刷パラメータにより決定される印刷態様での対象文書の印刷指示として、印刷パラメータと、対象文書データと、をプリンタインターフェイス２７を介して画像形成装置３に送信する（Ｓ１０７）。一方で、Ｓ１０５の処理において、画像形成装置３で利用するすべての設定項目の設定値が決定されていない場合（Ｓ１０５のＮ）、制御部２１は、画像形成装置３で利用する設定値が未だ決定されていない設定項目のうちから１つの注目項目を選択し（Ｓ１０８）、当該注目項目についてＳ１０１に戻って処理を続ける。
【００４３】
画像形成装置３は、プリンタや複合機などであり、対象文書の画像を用紙等の記録媒体に印刷するものである。本実施の形態では、印刷指示として、印刷パラメータと、対象文書データと、を受信すると、いわゆるＲＩＰ処理を実行し、対象文書データに基づくビットマップ画像データを生成する。そして、印刷パラメータに含まれる各設定項目に対応する設定値を利用して、ビットマップ画像データが表す対象文書の画像を用紙に印刷する。なお、ここでは、対象文書データが、画像形成装置３にある段階でＲＩＰ処理が行われているが、ＲＩＰ処理は、対象文書データが文書配信装置１にある段階で行われてもよいし、或いは対象文書データが文書処理装置２にある段階で行われてもよい。
【００４４】
次に本実施の形態に係る文書処理システム１００の動作について説明する。ここでは、配信元利用者がＡ１サイズの用紙に解像度６００ｄｐｉ（dot per inch）でカラー印刷されることを想定して作成した図面を配信先利用者に電子的に配信する場合を例として取り上げる。なお、本例では、図３に示すテーブル２００の内容を用いるものとする。
【００４５】
配信元利用者は、図面の図面データ（対象文書データに相当）を対象として設定操作を行い、ここでは設定項目としての「用紙サイズ」、「カラー印刷・モノクロ印刷の別」、「画像の解像度」の配信元設定値として、「Ａ１サイズ」、「カラー印刷」、「６００ｄｐｉ」、をそれぞれ入力する。そして、文書配信装置１は、図２に示す印刷態様指定データを生成し、図面データとともに文書処理装置２へ送信する。
【００４６】
文書処理装置２がこれら２つのデータを受信すると、配信先利用者は、図面データを対象として、各設定項目の配信先設定値を入力する。ここでは、設定項目としての「用紙サイズ」、「カラー印刷・モノクロ印刷の別」、「画像の解像度」、「画像の出力サイズ」、「両面印刷・片面印刷の別」の配信先設定値として、「Ａ２サイズ」、「モノクロ印刷」、「４００ｄｐｉ」、「１００％」、「片面印刷」を入力するものとする。そして、文書処理装置２は、図５に示す配信先設定データを生成する。
【００４７】
そして、文書処理装置２は、図６に示す印刷パラメータを生成する。ここで、「用紙サイズ」の配信元設定値たる「Ａ１サイズ」は、印刷態様指定データに含まれており、かつ、テーブル２００の内容からわかるとおり画像形成装置３で利用可能であるので、印刷パラメータのうちこの設定項目に対応する設定値は「Ａ１サイズ」に決定される。また、「カラー印刷・モノクロ印刷の別」及び「画像の解像度」の各々の配信元設定値たる「カラー印刷」、「６００ｄｐｉ」は、それぞれ印刷態様指定データに含まれているが、画像形成装置３で利用不能であるので、印刷パラメータのうちこれら２つの設定項目に対応する設定値は、それぞれの配信先設定値たる「モノクロ印刷」、「４００ｄｐｉ」に決定される。さらに、「画像の出力サイズ」及び「両面印刷・片面印刷の別」については、どちらの配信元設定値も印刷態様指定データに含まれていないので、印刷パラメータのうちこれら２つの設定項目に対応する設定値は、それぞれの配信先設定値たる「１００％」、「片面印刷」に決定される。
【００４８】
そして、画像形成装置３は、印刷指示として、図面データと、印刷パラメータと、を文書処理装置２から受信すると、当該印刷パラメータに含まれる各設定項目の設定値を利用して図面を印刷する。
【００４９】
このように、文書処理システム１００では、配信元設定値が入力されている設定項目に関しては、原則として、画像形成装置３はその配信元設定値を利用して印刷する。但し、設定項目に関する配信元設定値が入力されていても、その配信元設定値が画像形成装置３で利用不能な場合には、画像形成装置３は、当該設定項目に関する配信先設定値を利用して印刷する。
【００５０】
なお、本発明は、上記実施の形態だけに適用されるものではない。
【００５１】
例えば、上記実施の形態では、文書処理システム１００は、文書処理装置２を１台だけ含んで構成されているが、複数台含んで構成されていてもよい。そして、これらの文書処理装置２のうち対象文書データ及び印刷態様指定データの配信先となるものを配信元利用者に指定させるようにしてもよい。例えば、制御部１１が、上記のユーザインターフェイスに文書処理装置２の一覧を表示して、この一覧から配信先となる文書処理装置２を配信元利用者に指定させることとしてもよい。
【００５２】
また、上記実施の形態では、文書配信装置１は、文書処理装置２に、対象文書データ及び印刷態様指定データを文書処理装置２に直接的に送出しているが、間接的に送出してもよい。例えば、図８に示すように、文書処理システム１００を、ウェブサーバとして機能する転送サーバ４をさらに含んで構成することとしてもよい。この場合、文書配信装置１は、対象文書データに印刷態様指定データを関連付けて、これら２つのデータを転送サーバ４にアップロードする。そして、文書配信装置１は、これら２つのデータの転送サーバ４における格納場所を表わすＵＲＬ（Uniform Resource Locator）を配信先利用者に電子メールで通知する。そして、電子メールを受け取った配信先利用者は、文書処理装置２で上記ＵＲＬにアクセスし、これら２つのデータをダウンロードする。
【００５３】
また、上記実施の形態では、印刷ダイアログ（Ｘ）を表示して各設定項目の配信先設定値を配信先利用者に入力させるようにしているが、これらの設定項目のうちの一部についてのみ入力させるようにしてもよい。例えば、これらの設定項目のうち、配信元利用者が配信元設定値を入力していない設定項目についてのみ入力させるようにしてもよい。この場合、制御部２１は、プリンタドライバを起動すると同時に、印刷態様指定データに含まれていない配信元設定値に係る設定項目を特定し、当該特定された設定項目についてのみ印刷ダイアログ（Ｘ）に表示する。
【００５４】
また、制御部１１及び制御部２１をここまで述べたように動作させるためのプログラムは、このプログラムを格納している情報記憶媒体（ＣＤ−ＲＯＭ、ＤＶＤ−ＲＯＭなど）から供給されるものであってもよいし、通信媒体（例えば、通信回線、通信システムのように、一時的または流動的にプログラムを保持する媒体）から供給されるものであってもよい。例えば、このプログラムは、このプログラムを掲示しているネットワーク上の電子掲示板（ＢＢＳ：Bulletin Board Service）から、通信回線を介して配信されるものであってもよい。
【図面の簡単な説明】
【００５５】
【図１】本発明の実施形態に係る文書処理システムの構成を表わす図である。
【図２】本発明の実施形態に係る文書配信装置が生成する印刷態様指定データの一例を表わす図である。
【図３】本発明の実施形態に係る文書処理装置に記憶されるテーブルの一例を表わす図である。
【図４】本発明の実施形態に係る文書処理装置において表示される印刷ダイアログの一例を表わす図である。
【図５】本発明の実施形態に係る文書処理装置が生成する配信先設定データの一例を表わす図である。
【図６】印刷パラメータ生成処理の概念図である。
【図７】本発明の実施形態に係る文書処理装置において実行される印刷パラメータ生成処理のフローチャート図である。
【図８】本発明の別の実施形態に係る文書処理システムの構成を表わす図である。
【符号の説明】
【００５６】
１  文書配信装置、２  文書処理装置、３  画像形成装置、４  転送サーバ、１１  制御部、１２  記憶部、１３  ストレージ部、１４  操作部、１５  表示部、１６  通信部、２１  制御部、２２  記憶部、２４  操作部、２５  表示部、２６  通信部、２７  プリンタインターフェイス、１００  文書処理システム、２００  テーブル。
【図１】
2008052617.tif 000003
【図２】
2008052617.tif 000004
【図３】
2008052617.tif 000005
【図４】
2008052617.tif 000006
【図５】
2008052617.tif 000007
【図６】
2008052617.tif 000008
【図７】
2008052617.tif 000009
【図８】
2008052617.tif 000010